(57)【要約】【課題】ユーザーが拭き取り作業を行おうとしているときに、ユーザーが専用の操作を行わなくても、タッチスクリーンに対する操作を無効化する。【解決手段】表示入力装置は、タッチスクリーンと、タッチスクリーンに対する被接触体の接触点を検知し、同時に検知した接触点の数が２以上の値に設定された閾値以上であるとき、タッチスクリーンに対する操作を無効化するパネル清掃モードに移行する制御部と、を備える。【選択図】図４
2019175305.tif 000002
【特許請求の範囲】
【請求項１】
タッチスクリーンと、
前記タッチスクリーンに対する被接触体の接触点を検知し、同時に検知した前記接触点の数が２以上の値に設定された閾値以上であるとき、前記タッチスクリーンに対する操作を無効化するパネル清掃モードに移行する制御部と、を備える表示入力装置。
【請求項２】
前記制御部は、前記タッチスクリーンのうち予め定められた第１範囲で前記閾値以上の数の前記接触点を検知した場合に前記パネル清掃モードに移行することを特徴とする請求項１に記載の表示入力装置。
【請求項３】
前記制御部は、前記タッチスクリーンのうち予め定められた第２範囲で前記閾値以上の数の前記接触点を検知した場合に前記パネル清掃モードを終了することを特徴とする請求項２に記載の表示入力装置。
【請求項４】
前記タッチスクリーンは、四角形状の操作受付面を有し、
前記操作受付面は、それぞれが前記操作受付面の異なる隅を含む４つの領域に分類されており、
前記操作受付面のいずれかの前記領域内に前記第１範囲が設定され、前記操作受付面の前記第１範囲を含む前記領域に対して対角の位置関係にある前記領域内に前記第２範囲が設定されることを特徴とする請求項３に記載の表示入力装置。
【請求項５】
前記制御部は、前記パネル清掃モードを終了するとき、前記接触点と重なる位置に表示されているソフトウェアボタンを対象ボタンとして認識する処理を行い、前記対象ボタンとして認識した前記ソフトウェアボタンが存在する場合、前記対象ボタンとして認識した前記ソフトウェアボタンに対する操作については前記パネル清掃モードを終了してから所定時間が経過するまで無効化することを特徴とする請求項１〜４のいずれか１項に記載の表示入力装置。
【請求項６】
前記制御部は、前記閾値以上の数の前記接触点を検知した時点では前記パネル清掃モードに移行せず、前記閾値以上の数の前記接触点が移動したことを検知した時点で前記パネル清掃モードに移行することを特徴とする請求項１〜５のいずれか１項に記載の表示入力装置。
【請求項７】
前記タッチスクリーンに対する電力供給を通常モードおよび前記通常モードよりも消費電力を抑制する省電力モードのいずれかの電力供給モードで行う電源部を備え、
前記制御部は、前記電力供給モードが前記省電力モードのときに検知した前記接触点の数が前記閾値以上でなければ前記パネル清掃モードに移行せずに前記電力供給モードを前記通常モードに復帰させる処理を行い、前記電力供給モードが前記省電力モードのときに検知した前記接触点の数が前記閾値以上であれば前記電力供給モードを前記通常モードに復帰させる処理を行わずに前記パネル清掃モードに移行することを特徴とする請求項１〜６のいずれか１項に記載の表示入力装置。
【請求項８】
前記制御部は、前記パネル清掃モードに移行したとき、前記パネル清掃モードに移行した旨のメッセージを前記タッチスクリーンに表示させるとともに、前記パネル清掃モードの終了方法を前記タッチスクリーンに表示させることを特徴とする請求項１〜７のいずれか１項に記載の表示入力装置。
【請求項９】
請求項１〜８のいずれか１項に記載の表示入力装置を備えることを特徴とする画像形成装置。
【発明の詳細な説明】
【技術分野】
【０００１】
本発明は、表示入力装置およびそれを備えた画像形成装置に関する。
【背景技術】
【０００２】
画像形成装置には、タッチスクリーンを有する表示入力装置が設置されることが多い。タッチスクリーンを有する表示入力装置に対して操作を行うとき、ユーザーはタッチスクリーンに触れる。したがって、タッチスクリーンは汚れ易い。タッチスクリーンが汚れると、ユーザーはタッチスクリーンを清掃する。通常では、ユーザーは布を用いてタッチスクリーンの汚れを拭き取る。
【０００３】
ここで、ユーザーによっては、タッチスクリーンにソフトウェアボタンが表示されている状態で拭き取り作業を行う場合がある。この場合、タッチスクリーンのソフトウェアボタンの表示領域に対してユーザーが拭き取り作業を行っているときに、拭き取り作業がソフトウェアボタンに対する操作として検知され得る。拭き取り作業がソフトウェアボタンに対する操作として検知されると、ソフトウェアボタンに割り当てられた処理がユーザーの意図に反して行われるという不都合が生じる。なお、このような不都合の発生を抑制するには、表示入力装置の電源をオフにした状態で拭き取り作業を行えばよい。しかし、表示入力装置の電源のオンオフを切り替えなければならないのは、ユーザーにとっては煩わしく利便性が悪い。
【０００４】
このため、従来、電源をオフにしなくてもタッチスクリーンに対する操作を無効化することが可能な表示入力装置が提案されている（たとえば、特許文献１参照）。特許文献１の表示入力装置（情報端末装置）では、ユーザーから操作を受け付けるときに表示する操作画面に清掃ボタンが配される。特許文献１の表示入力装置は、清掃ボタンに対する操作を検知すると、タッチスクリーンに対する操作を無効化する。これにより、ユーザーによる拭き取り作業がソフトウェアボタンに対する操作として検知されることはない。
【先行技術文献】
【特許文献】
【０００５】
【特許文献１】特開２００４−３３４７６２号公報
【発明の概要】
【発明が解決しようとする課題】
【０００６】
特許文献１の構成では、ユーザーが拭き取り作業を行おうとしているとき（タッチスクリーンに対する操作を無効化したいとき）、ユーザーが専用の操作（清掃ボタンに対する操作）を行うことにより、タッチスクリーンに対する操作が無効化される。
【０００７】
しかし、ユーザーによっては、清掃ボタンに対する操作をし忘れる場合がある。また、タッチスクリーンに対する操作を無効化したいにもかかわらず、いずれのソフトウェアボタンに対して操作を行えばよいのかが分からない場合がある。これらの場合には、タッチスクリーンに対する操作が無効化されていない状態でユーザーによる拭き取り作業が行われる可能性が高い。その結果、ユーザーの意図に反して表示入力装置が何らかの処理を行うという不都合が生じ得る。
【０００８】
本発明は、上記課題を解決するためになされたものであり、ユーザーが拭き取り作業を行おうとしているときに、ユーザーが専用の操作を行わなくても、タッチスクリーンに対する操作を無効化することが可能な表示入力装置およびそれを備えた画像形成装置を提供することを目的とする。
【課題を解決するための手段】
【０００９】
上記目的を達成するため、本発明の表示入力装置は、タッチスクリーンと、タッチスクリーンに対する被接触体の接触点を検知し、同時に検知した接触点の数が２以上の値に設定された閾値以上であるとき、タッチスクリーンに対する操作を無効化するパネル清掃モードに移行する制御部と、を備える。
【００１０】
本発明の構成では、ユーザーが拭き取り作業を行うために清掃用の布をタッチスクリーンに押し当てたとき、制御部はタッチスクリーンに対して被接触体が接触したことを検知する。ここで、ユーザーは拭き取り作業を効率的に行うため、清掃用の布を広げてタッチスクリーンに押し当てる。したがって、ユーザーが拭き取り作業を行おうとしているときには、制御部が検知する接触点の数が多くなるので、制御部が検知する接触点の数が閾値以上になり易い。制御部は、検知した接触点の数が閾値以上であれば、自動的にパネル清掃モードに移行する。これにより、ユーザーが拭き取り作業を行おうとしているときに、ユーザーが専用の操作を行わなくても、タッチスクリーンに対する操作が無効化される。
【発明の効果】
【００１１】
本発明の構成では、ユーザーが拭き取り作業を行おうとしているときに、ユーザーが専用の操作を行わなくても、タッチスクリーンに対する操作を無効化することができる。
【図面の簡単な説明】
【００１２】
【図１】本発明の一実施形態による操作パネルおよびそれを備えた画像形成装置の構成を示すブロック図
【図２】本発明の一実施形態による操作パネルの構成を示す平面図
【図３】本発明の一実施形態による操作パネルのタッチスクリーンに対して清掃用の布が押し当てられた状態を示す図
【図４】本発明の一実施形態による操作パネルのパネル制御部が行う開始条件判断処理および終了条件判断処理の流れを示すフローチャート
【図５】本発明の一実施形態による操作パネルのタッチスクリーンの第１範囲および第２範囲を示す図
【図６】本発明の一実施形態による操作パネルのタッチスクリーンに対して行われる拭き取り作業について説明するための図
【図７】本発明の一実施形態による操作パネルのパネル制御部が対象ボタンとして認識し得るソフトウェアボタンを示す図
【発明を実施するための形態】
【００１３】
＜装置構成＞
図１に示すように、本実施形態の画像形成装置１は、画像読取部１１と印刷部１２とを備える。画像読取部１１は、原稿を読み取って原稿の画像データを生成する。印刷部１２は、画像データ（たとえば、画像読取部１１による原稿の読み取りによって得られた原稿の画像データ）に基づく画像を用紙に印刷する。
【００１４】
ここで、画像形成装置１は、図２に示すような操作パネル２を備える。操作パネル２は「表示入力装置」に相当する。
【００１５】
操作パネル２は、タッチスクリーン２１を備える。タッチスクリーン２１は、表示パネル２１１およびタッチパネル２１２を含む。表示パネル２１１は、バックライト付きの液晶表示パネルである。タッチパネル２１２は、複数の接触点を同時に検知可能なマルチタッチパネルである。タッチパネル２１２は、表示パネル２１１の表面上に設置される。
【００１６】
タッチスクリーン２１の表面（タッチパネル２１２の表面）は四角形状であり、当該表面がユーザーから操作を受け付けるための操作受付面２１０となる。タッチスクリーン２１は、各種設定を受け付けるためのソフトウェアボタンＳＢを配した画面を表示パネル２１１に表示する。また、タッチスクリーン２１は、タッチパネル２１２を介して、表示画面に配されたソフトウェアボタンＳＢに対する操作（以下、ボタン操作と称する）をユーザーから受け付ける。
【００１７】
操作パネル２には、ジョブの実行指示を受け付けるためのスタートボタンや数値入力を受け付けるためのテンキーなど、種々のハードウェアボタン２２が設けられる。操作パネル２には、ハードウェアボタン２２として、ホームボタン２２Ｈおよび節電ボタン２２Ｓなども設けられる。ユーザーがホームボタン２２Ｈに対して押下操作を行った場合には、操作パネル２の表示画面がホーム画面（初期画面）に戻る。ユーザーが節電ボタン２２Ｓに対して押下操作を行った場合には、操作パネル２の表示が停止される（画像形成装置１が通常モードから省電力モードに移行する）。
【００１８】
図１に戻って、画像形成装置１は、本体制御部１０を備える。本体制御部１０は、本体ＣＰＵ１０１および本体メモリー１０２（ＲＯＭおよびＲＡＭ）を含む。本体制御部１０は、画像読取部１１および印刷部１２に接続され、制御用プログラムおよび制御用データに基づき、画像読取部１１の読取動作および印刷部１２の印刷動作を制御する。
【００１９】
また、操作パネル２は、パネル制御部２０を備える。パネル制御部２０は「制御部」に相当する。パネル制御部２０は、パネルＣＰＵ２０１およびパネルメモリー２０２（ＲＯＭおよびＲＡＭ）を含む。
【００２０】
パネル制御部２０は、本体制御部１０に接続される。パネル制御部２０は、本体制御部１０から指示を受け、操作パネル２を制御するためのパネル制御処理を行う。パネル制御部２０は、パネル制御処理として、タッチスクリーン２１の表示動作を制御する処理を行う。タッチスクリーン２１に画面を表示させるための表示プログラムや当該画面の画面データなどはパネルメモリー２０２に記憶される。
【００２１】
また、パネル制御部２０は、パネル制御処理として、タッチスクリーン２１の出力に基づき、タッチスクリーン２１の操作受付面２１０に被接触体が接触したか否かを検知する処理を行う。操作受付面２１０に対する被接触体の接触を検知した場合、パネル制御部２０は、操作受付面２１０に対する被接触体の接触点の位置（座標）を検知する処理や、操作受付面２１０に対す被接触体の接触点の数を検知する処理を行う。なお、パネル制御部２０は、ハードウェアボタン２２に対する押下操作の検知も行う。
【００２２】
たとえば、パネル制御部２０は、ユーザーがボタン操作を行ったか否か（タッチスクリーン２１に対する被接触体の接触点がソフトウェアボタンＳＢと重なっているか否か）を判断する。パネル制御部２０は、ユーザーがボタン操作を行った（タッチスクリーン２１に対する被接触体の接触点がソフトウェアボタンＳＢと重なっている）と判断した場合、ボタン操作の対象となったソフトウェアボタンＳＢに割り当てられた処理（たとえば、タッチスクリーン２１の表示画面を切り替える処理）を行う。通常では、ユーザーによるボタン操作は１本の指で行われる（ユーザーは１本の指でソフトウェアボタンＳＢの表示領域をタッチする）。このため、ユーザーがボタン操作を行った場合には、パネル制御部２０により検知される接触点の数は１点となる。
【００２３】
また、画像形成装置１は、電源部３０を備える。電源部３０は、商用電源（交流電源）に接続される。電源部３０は、電圧を生成する電源回路や電力供給を制御する制御回路を含む。電源部３０は、本体制御部１０、画像読取部１１、印刷部１２および操作パネル２など画像形成装置１の各部に電力を供給し当該各部を動作させる。すなわち、本体制御部１０、画像読取部１１、印刷部１２および操作パネル２は、電源部３０から電力供給を受けて動作する被電力供給部である。
【００２４】
＜電力供給モード＞
電源部３０の電力供給モードとして、通常モードおよび省電力モード（スリープモードと称される場合がある）が準備される。通常モード時には、電源部３０が被電力供給部に対して通常の電力供給を行う。省電力モード時には、電源部３０から被電力供給部に対して供給される電力が通常モード時よりも抑制される。
【００２５】
本体制御部１０は、電力供給モードが通常モードのとき、通常モードから省電力モードに移行する条件として予め定められた移行条件が満たされたか否かを判断する移行判断処理を行う。移行条件が満たされたと判断したとき、本体制御部１０は、電源部３０に指示し、電力供給モードを通常モードから省電力モードに移行させる。
【００２６】
たとえば、本体制御部１０は、電力供給モードが通常モードのとき、操作パネル２の節電ボタン２２Ｓ（図２参照）が操作されたか否かを判断する処理を移行判断処理として行う。本体制御部１０は、節電ボタン２２Ｓが操作されたとき、移行条件が満たされたと判断する。
【００２７】
あるいは、本体制御部１０は、電力供給モードが通常モードのとき、画像形成装置１が使用されないまま経過した時間である未使用時間を計測し、未使用時間が予め定められた上限時間を超えたか否かを判断する処理を移行判断処理として行う。本体制御部１０は、未使用時間が上限時間を超えたとき、移行条件が満たされたと判断する。
【００２８】
電源部３０は、電力供給モードが省電力モードのとき、画像読取部１１および印刷部１２に対する電力供給を停止する一方、操作パネル２に対する電力供給については完全には停止しない。具体的には、電源部３０は、タッチパネル２１２に対する電力供給は停止せず、表示パネル２１１（バックライト）に対する電力供給を停止する。これにより、省電力モード時には、タッチスクリーン２１は画面を表示しない。
【００２９】
ここで、パネル制御部２０は、電力供給モードが省電力モードであっても、タッチスクリーン２１に被接触体が接触したか否かの検知を行うとともに、タッチスクリーン２１に対する被接触体の接触を検知した場合にはタッチスクリーン２１に対する被接触体の接触点の位置および当該接触点の数の検知を行う。したがって、電源部３０は、電力供給モードが省電力モードのとき、パネル制御部２０に対する電力供給を完全には停止しない。
【００３０】
パネル制御部２０は、電力供給モードが省電力モードのとき、省電力モードから通常モードに復帰する条件として予め定められた復帰条件が満たされたか否かを判断する復帰判断処理を行う。復帰条件が満たされたと判断したとき、パネル制御部２０は、復帰条件が満たされたことを示す復帰信号を本体制御部１０に送信する。
【００３１】
パネル制御部２０は、電力供給モードが省電力モードのとき、タッチスクリーン２１の１点をタッチする操作（当該操作ではパネル制御部２０により検知される接触点の数は１点である）が行われたことを検知したとき、復帰条件が満たされたと判断する。また、パネル制御部２０は、電力供給モードが省電力モードのとき、タッチスクリーン２１の２点を同時にタッチする操作（当該操作ではパネル制御部２０により同時に検知される接触点の数は２点である）が行われたことを検知したときにも、復帰条件が満たされたと判断する。仮に、電力供給モードが省電力モードのとき、タッチスクリーン２１の３点以上を同時にタッチする操作をユーザーが行っても（パネル制御部２０が同時に検知した接触点の数が３点以上であっても）、パネル制御部２０は復帰条件が満たされたと判断しない。
【００３２】
なお、電源部３０は、電力供給モードが省電力モードのとき、本体制御部１０に対して供給する電力を通常モード時よりも抑制する（本体制御部１０に対する電力供給は完全には停止されない）。本体制御部１０は、電力供給モードが省電力モードのとき、演算処理などは行わず、本体ＣＰＵ１０１の一部の端子（割り込みポート）に入力された信号だけを取り込む省電力状態となる。パネル制御部２０からの復帰信号は本体ＣＰＵ１０１の割り込みポートに入力される。
【００３３】
本体制御部１０は、本体ＣＰＵ１０１の割り込みポートに復帰信号が入力されると、省電力状態から通常状態（演算処理を行うことが可能な状態）に復帰する。そして、本体制御部１０は、電源部３０に指示し、電力供給モードを省電力モードから通常モードに復帰させる。これにより、画像形成装置１がレディ状態（ジョブの実行が可能な状態）に復帰する。電力供給モードが省電力モードから通常モードに復帰すると、表示パネル２１１（バックライト）に対する電力供給が再開されるので、タッチスクリーン２１に画面が表示される。
【００３４】
＜パネル清掃モード＞
ユーザーはタッチスクリーン２１に対してボタン操作を行うとき、タッチスクリーン２１の操作受付面２１０を指で触れるので、操作受付面２１０に指紋が付着する。また、操作受付面２１０は外部に露出しているので、操作受付面２１０には埃などが付着し易い。このため、操作受付面２１０の清掃が行われる。
【００３５】
たとえば、図３に示すように、ユーザーは清掃用の布４００を用いて、タッチスクリーン２１の操作受付面２１０の汚れを拭き取る拭き取り作業を行う。ここで、タッチスクリーン２１に表示されたソフトウェアボタンＳＢに対するボタン操作が有効になっている状態での拭き取り作業では、拭き取り作業がボタン操作として検知され得る。したがって、ソフトウェアボタンＳＢに割り当てられた処理がユーザーの意図に反して行われる可能性がある。
【００３６】
そこで、本実施形態では、タッチスクリーン２１に対する操作を無効化するパネル清掃モードが準備される。パネル制御部２０は、予め定められた開始条件が満たされたか否かを判断する開始条件判断処理を行う。開始条件判断処理の結果、開始条件が満たされたと判断すると、パネル制御部２０は、パネル清掃モードに移行し、パネル清掃モードでの動作を開始する。なお、電力供給モードが通常モードのときに開始条件が満たされた場合、電力供給モードが通常モードに維持されたままパネル清掃モードに移行する。電力供給モードが省電力モードのときに開始条件が満たされた場合、電力供給モードが省電力モードに維持されたままパネル清掃モードに移行する。
【００３７】
また、パネル制御部２０は、パネル清掃モードのとき、予め定められた終了条件が満たされたか否かを判断する終了条件判断処理を行う。終了条件判断処理の結果、終了条件が満たされたと判断すると、パネル制御部２０は、パネル清掃モードを終了する（パネル清掃モードでの動作を終了する）。
【００３８】
以下に、図４に示すフローチャートを参照し、パネル制御部２０により行われる開始条件判断処理および終了条件判断処理の流れを説明する。図４に示すフローチャートは、タッチスクリーン２１の操作受付面２１０に対して被接触体が接触したことをパネル制御部２０が検知したときにスタートする。なお、図４に示すフローチャートのスタート時点では、電力供給モードが通常モードになっている場合もあるし、電力供給モードが省電力モードになっている場合もある。
【００３９】
ステップＳ１において、パネル制御部２０は、タッチスクリーン２１の操作受付面２１０のうち予め定められた第１範囲Ｒ１（図５参照）で接触点を検知したか否かを判断する。その結果、第１範囲Ｒ１で接触点を検知したとパネル制御部２０が判断した場合には、ステップＳ２に移行する。
【００４０】
ここで、第１範囲Ｒ１について説明する。たとえば、図５に示すように、タッチスクリーン２１の操作受付面２１０は、４つの領域２１０Ｒに分類される。図５では、４つの領域２１０Ｒを破線で区切る。４つの領域２１０Ｒは、それぞれが操作受付面２１０の異なる隅Ｃを含む。そして、第１範囲Ｒ１は、いずれかの領域２１０Ｒ内に設定される。特に限定されないが、第１範囲Ｒ１は、左上の領域２１０Ｒ内の一部（隅Ｃを含む部分）を含む範囲である。図５では、第１範囲Ｒ１を太線で囲む。
【００４１】
図４に戻り、ステップＳ２に移行すると、パネル制御部２０は、第１範囲Ｒ１で同時に検知した接触点の数が予め定められた閾値以上であるか否かを判断する。その結果、第１範囲Ｒ１で同時に検知した接触点の数が閾値以上であるとパネル制御部２０が判断した場合には、ステップＳ３に移行する。ステップＳ３に移行すると、パネル制御部２０は、開始条件が満たされたと判断し、パネル清掃モードに移行する。このとき、パネル制御部２０は、電力供給モードが省電力モードであっても、本体制御部１０に復帰信号を送信する処理（電力供給モードを通常モードに復帰させる処理）を行わない。
【００４２】
ここで、閾値について説明する。図３に示したように、ユーザーによる拭き取り作業では清掃用の布４００が使用される。拭き取り作業を行うとき、ユーザーは自身の手でタッチスクリーン２１の操作受付面２１０に布４００を押し当てるので、操作受付面２１０の複数の位置に被接触体が接触した状態となる。このため、ユーザーが拭き取り作業を行うときにパネル制御部２０が検知する接触点の数は、ユーザーからのボタン操作の受付時にパネル制御部２０が検知する接触点の数（１点）よりも多くなる。このため、ユーザーからのボタン操作の受付時にパネル制御部２０が検知する接触点の数よりも多い値が閾値として設定される。
【００４３】
なお、パネル制御部２０は、電力供給モードが省電力モードのとき、タッチスクリーン２１の２点を同時にタッチする操作（当該操作ではパネル制御部２０により同時に検知される接触点の数は２点である）が行われたことを検知すると、復帰条件が満たされたと判断し、復帰信号を本体制御部１０に通知する処理を行う。すなわち、当該処理にはタッチスクリーン２１の２点を同時にタッチする操作が割り当てられている。したがって、閾値は３に設定される。
【００４４】
仮に、タッチスクリーン２１の２点を同時にタッチする操作に割り当てられた処理が他に無ければ、閾値を２に設定してもよい（閾値が２以上であればよい）。閾値を２に設定した場合には、パネル制御部２０が同時に検知した接触点の数が２点以上であれば、パネル清掃モードに移行する。また、タッチスクリーン２１の２点を同時にタッチする操作に加え、３点を同時にタッチする操作に割り当てられた処理が他に有れば、閾値を４に設定すればよい（閾値が４以上であればよい）。閾値を４に設定した場合には、パネル制御部２０が同時に検知した接触点の数が４点以上であれば、パネル清掃モードに移行する。
【００４５】
図４に戻り、パネル清掃モードへの移行後、ステップＳ４において、パネル制御部２０は、タッチスクリーン２１の操作受付面２１０のうち予め定められた第２範囲Ｒ２（図５参照）で閾値（パネル清掃モードに移行するか否かの判断で使用される閾値と同じ値）以上の数の接触点を同時に検知したか否かを判断する。言い換えると、パネル制御部２０は、第１範囲Ｒ１で同時に検知した閾値以上の数の接触点が第２範囲Ｒ２に移動したか否かを判断する。その結果、第２範囲Ｒ２で閾値以上の数の接触点を同時に検知したとパネル制御部２０が判断した場合には、ステップＳ５に移行し、第２範囲Ｒ２で閾値以上の数の接触点を同時に検知していないとパネル制御部２０が判断した場合には、ステップＳ４の処理が繰り返される。
【００４６】
ステップＳ５に移行すると、パネル制御部２０は、終了条件が満たされたと判断し、パネル清掃モードを終了する。なお、第２範囲Ｒ２で閾値以上の数の接触点をパネル制御部２０が同時に検知してから予め定められた待ち時間が経過したときに、パネル制御部２０がパネル清掃モードを終了するようにしてもよい。
【００４７】
ここで、図５および図６を参照し、第２範囲Ｒ２について説明する。たとえば、図６に示すように、ユーザーは第１範囲Ｒ１で拭き取り作業を始めて以降、清掃用の布４００を左右方向または上下方向に往復移動させながらタッチスクリーン２１の操作受付面２１０の汚れを拭き取っていく。図６では、ユーザーが布４００を左右方向に往復移動させつつ拭き取り作業を行った場合の布４００の移動経路を矢印で示す。
【００４８】
図６に示したような拭き取り作業をユーザーが行った場合には、第１範囲Ｒ１内の隅Ｃと対角の位置関係にある隅Ｃに布４００が到達した時点で拭き取り作業が完了する。すなわち、当該時点でパネル清掃モードを終了すればよい。
【００４９】
そこで、図５に示すように、第２範囲Ｒ２は、４つの領域２１０Ｒのうち第１範囲Ｒ１を含む領域２１０Ｒに対して対角の位置関係にある右下の領域２１０Ｒ内に設定される。たとえば、第２範囲Ｒ２は、右下の領域２１０Ｒ内の一部（隅Ｃを含む部分）を含む範囲である。図５では、第２範囲Ｒ２を太線で囲む。
【００５０】
なお、４つの領域２１０Ｒのうち２つ以上（全てでもよい）の領域２１０Ｒ内にそれぞれ第１範囲Ｒ１が設定されてもよい。たとえば、左上の領域２１０Ｒおよび右上の領域２１０Ｒの各領域内に第１範囲Ｒ１が設定されてもよい。
【００５１】
この場合、パネル制御部２０は、開始条件が満たされたとき（第１範囲Ｒ１で閾値以上の数の接触点を同時に検知したとき）、第２領域Ｒ２を自動設定する範囲設定処理を行う。範囲設定処理を行うとき、パネル制御部２０は、閾値以上の数の接触点を同時に検知した第１範囲Ｒ１を認識し、当該認識した第１範囲Ｒ１を含む領域２１０Ｒに対して対角の位置関係にある領域２１０Ｒ内に第２範囲Ｒ２を設定する。たとえば、左上の領域２１０Ｒ内の第１範囲Ｒ１で閾値以上の数の接触点をパネル制御部２０が同時に検知した場合には、右下の領域２１０Ｒ内に第２範囲Ｒ２が設定され、右上の領域２１０Ｒ内の第１範囲Ｒ１で閾値以上の数の接触点をパネル制御部２０が同時に検知した場合には、左下の領域２１０Ｒ内に第２範囲Ｒ２が設定される。
【００５２】
図４に戻り、ステップＳ２において、第１範囲Ｒ１で同時に検知した接触点の数が閾値未満であるとパネル制御部２０が判断した場合には、ステップＳ６に移行する。また、ステップＳ１において、第１範囲Ｒ１では接触点を検知していないとパネル制御部２０が判断した場合にも、ステップＳ６に移行する。ステップＳ６に移行すると、パネル制御部２０は、開始条件が満たされていないと判断し、パネル清掃モードに移行しない。ステップＳ６に移行した場合、パネル制御部２０は、現在の電力供給モードが通常モードであるか省電力モードであるかに応じて実行する処理を変える。
【００５３】
現在の電力供給モードが通常モードである場合、パネル制御部２０は、検知した接触点と重なる位置にソフトウェアボタンＳＢが表示されているか否かを判断する。その結果、検知した接触点と重なる位置にソフトウェアボタンＳＢが表示されていれば、パネル制御部２０は、当該ソフトウェアボタンＳＢに割り当てられた処理を行う（当該ソフトウェアボタンＳＢに対してボタン操作が行われたと判断する）。一方で、検知した接触点と重なる位置にソフトウェアボタンＳＢが表示されていなければ、パネル制御部２０は、タッチスクリーン２１の状態を現状のまま維持させる。
【００５４】
現在の電力供給モードが省電力モードである場合、パネル制御部２０は、復帰条件が満たされたと判断し、復帰信号を本体制御部１０に送信する。復帰信号を受けた本体制御部１０は、通常状態に戻り、電力供給モードの省電力モードから通常モードへの復帰指示を電源部３０に与える。これにより、電力供給モードが通常モードに復帰し、画像形成装置１がレディ状態となる。
【００５５】
ここで、パネル制御部２０は、パネル清掃モードに移行すると、パネル清掃モードに関するモード情報をタッチスクリーン２１に表示させる。タッチスクリーン２１は、モード情報として、パネル清掃モードに移行した旨のメッセージを表示する。たとえば、「パネル清掃モード中」というメッセージがタッチスクリーン２１に表示される。
【００５６】
また、タッチスクリーン２１は、パネル清掃モードの終了方法（パネル清掃モードを終了させるための手順）を表示する。たとえば、タッチスクリーン２１は、第２範囲Ｒ２を示す枠を表示するとともに、当該枠内に清掃用の布４００が入るとパネル清掃モードが終了する旨のメッセージを表示する。後述するが、操作パネル２にはモード切替ボタン２２Ｃ（図２参照）が設けられており、モード切替ボタン２２に対する操作によってもパネル清掃モードを終了させることができる。さらに、ホームボタン２２Ｈに対する操作によっても清掃モードを終了させることができる。このため、タッチスクリーン２１は、モード情報として、モード切替ボタン２２Ｃやホームボタン２２Ｈに対する操作を行うことによって清掃モードを終了させることができる旨のメッセージも表示する。
【００５７】
なお、電力供給モードが通常モードのときにパネル清掃モードに移行した場合には、パネル清掃モードに移行して以降も表示パネル２１１に対する電力供給は続行される。すなわち、タッチスクリーン２１は表示を行うことができる。したがって、電力供給モードが通常モードのときにパネル清掃モードに移行した場合には、必ず、タッチスクリーン２１はモード情報を表示する。
【００５８】
一方で、電力供給モードが省電力モードのときにパネル清掃モードに移行した場合、タッチスクリーン２１にモード情報を表示させるには表示パネル２１１に対する電力供給を再開しなければならない。電力供給モードが省電力モードであるにもかかわらず表示パネル２１１に対する電力供給を行うと、省電力効果が低下する。このため、電力供給モードが省電力モードのときにパネル清掃モードに移行した場合には、タッチスクリーン２１にモード情報を表示しなくてもよい。
【００５９】
ただし、タッチスクリーン２１にモード情報が表示されなければ、パネル清掃モードに移行したか否かをユーザーは知ることができない。したがって、電力供給モードが省電力モードのときにパネル清掃モードに移行した場合であっても、タッチスクリーン２１にモード情報を表示してもよい。あるいは、モード情報の表示を許可するか否かの設定を予めユーザーから受け付け、モード情報を表示する旨の設定がなされている場合にのみ、タッチスクリーン２１にモード情報を表示してもよい。なお、電力供給モードが省電力モードのときにモード情報が表示されても、当該表示されるモード情報はパネル清掃モードに移行した旨のメッセージを含むので、ユーザーが戸惑うことはない（通常モードに復帰したとユーザーが誤認識することはない）。
【００６０】
また、パネル制御部２０は、終了条件が満たされたと判断したとき（パネル清掃モードを終了するとき）、第２範囲Ｒ２で同時に検知した閾値以上の数の接触点のいずれかと重なる位置に表示されているソフトウェアボタンＳＢを対象ボタンとして認識する処理を行う。たとえば、終了条件が満たされたとパネル制御部２０が判断したときに、図７に示すように、いずれかのソフトウェアボタンＳＢが清掃用の布４００で覆われた状態になっていれば、布４００で覆われたソフトウェアボタンＳＢを対象ボタンとしてパネル制御部２０が認識し得る。図７では、布４００で覆われたソフトウェアボタンＳＢ（パネル制御部２０が対象ボタンとして認識し得るソフトウェアボタンＳＢ）に符号ＯＳを付す。
【００６１】
対象ボタンとして認識したソフトウェアボタンＳＢが存在する場合、パネル制御部２０は、対象ボタンとして認識したソフトウェアボタンＳＢに対する操作についてはパネル清掃モードを終了してから所定時間が経過するまで無効にする。すなわち、パネル制御部２０は、少なくとも、パネル清掃モードを終了してから所定時間が経過するまで、対象ボタンとして認識したソフトウェアボタンＳＢに割り当てられた処理を行わない。たとえば、所定時間は数秒（２〜３秒）である。そして、パネル制御部２０は、パネル清掃モードを終了してからの経過時間が所定時間に達すると、対象ボタンとして認識したソフトウェアボタンＳＢに対する操作の無効化を解除する。
【００６２】
なお、パネル制御部２０は、モード切替ボタン２２Ｃに対する押下操作を検知した場合にも、開始条件が満たされたと判断し、パネル清掃モードに移行する。さらに、パネル制御部２０は、ホームボタン２２Ｈに対する押下操作（長押し操作）を検知した場合にも、開始条件が満たされたと判断し、パネル清掃モードに移行する。すなわち、ユーザーはハードウェアボタン２２に対する操作によっても、操作パネル２をパネル清掃モードに移行させることができる。
【００６３】
また、パネル制御部２０は、パネル清掃モードで動作しているとき、モード切替ボタン２２Ｃに対する押下操作を検知すると、終了条件が満たされたと判断し、パネル清掃モードを終了する。さらに、パネル制御部２０は、パネル清掃モードで動作しているとき、ホームボタン２２Ｈに対する押下操作（長押し操作）を検知すると、終了条件が満たされたと判断し、パネル清掃モードを終了する。すなわち、ユーザーはハードウェアボタン２２に対する操作によっても、パネル清掃モードを終了させることができる。
【００６４】
本実施形態の操作パネル２（表示入力装置）は、上記のように、タッチスクリーン２１と、タッチスクリーン２１に対する被接触体の接触点を検知し、同時に検知した接触点の数が２以上の値に設定された閾値以上であるとき、タッチスクリーン２１に対する操作を無効化するパネル清掃モードに移行するパネル制御部２０（制御部）と、を備える。
【００６５】
本実施形態の構成では、ユーザーが拭き取り作業を行うために清掃用の布４００をタッチスクリーン２１に押し当てたとき、パネル制御部２０はタッチスクリーン２１に対して被接触体が接触したことを検知する。ここで、ユーザーは拭き取り作業を効率的に行うため、布４００を広げてタッチスクリーン２１に押し当てる。したがって、ユーザーが拭き取り作業を行おうとしているときには、パネル制御部２０が検知する接触点の数が多くなるので、パネル制御部２０が検知する接触点の数が閾値以上になり易い。パネル制御部２０は、検知した接触点の数が閾値以上であれば、自動的にパネル清掃モードに移行する。これにより、ユーザーが拭き取り作業を行おうとしているときに、ユーザーが専用の操作を行わなくても、タッチスクリーン２１に対する操作が無効化される。
【００６６】
なお、前記閾値は３以上の値に設定されるのがより好ましい。これにより、タッチスクリーン２１の２点をタッチし当該タッチした２点間の距離を変化させるタッチ操作であるピンチ操作（ピンチイン操作やピンチアウト操作）が他の処理に割り当てられている場合において、ユーザーがピンチ操作を行ったときに、ユーザーの意図に反してパネル清掃モードに移行するという不都合は生じない。
【００６７】
また、本実施形態では、上記のように、パネル制御部２０は、第１範囲Ｒ１で閾値以上の数の接触点を検知した場合にパネル清掃モードに移行する。この構成では、接触点の数が閾値以上になるような操作をユーザーが誤って行ったとしても、当該操作が第１範囲Ｒ１外で行われていれば、操作パネル２はパネル清掃モードに移行しない。これにより、操作パネル２が不必要にパネル清掃モードに移行するのを抑制することができる。
【００６８】
なお、変形例として、パネル制御部２０が閾値以上の数の接触点を検知した時点ではパネル清掃モードに移行されないように構成してもよい。変形例の構成では、パネル制御部２０は、第１範囲Ｒ１で閾値以上の数の接触点を同時に検知したとき、パネル清掃モードに移行せず、第１範囲Ｒ１で検知した接触点が移動したか否かを判断する。その結果、第１範囲Ｒ１で同時に検知した閾値以上の数の接触点が移動せず、タッチスクリーン２１に対する被接触体の接触が解除された場合、パネル制御部２０は、操作パネル２の状態を現状のまま維持させる（パネル清掃モードに移行しない）。一方で、第１範囲Ｒ１で同時に検知した閾値以上の数の接触点が移動した場合、パネル制御部２０は、パネル清掃モードに移行する。なお、パネル制御部２０が第１範囲Ｒ１で同時に検知した閾値以上の数の接触点が移動したということは、ユーザーが拭き取り作業を始めたということである。
【００６９】
変形例の構成では、第１範囲Ｒ１において接触点の数が閾値以上になるような操作をユーザーが誤って行ったとしても、当該操作を直ぐに解除すれば、操作パネル２はパネル清掃モードに移行しない。これにより、操作パネル２が不必要にパネル清掃モードに移行するのを抑制することができる。すなわち、変形例の構成では、ユーザーが拭き取り作業を始めなければパネル清掃モードに移行しない。
【００７０】
また、本実施形態では、上記のように、タッチスクリーン２１の操作受付面２１０のいずれかの領域２１０Ｒ内に第１範囲Ｒ１が設定され、操作受付面２１０の第１範囲Ｒ１を含む領域２１０Ｒに対して対角の位置関係にある領域２１０Ｒ内に第２範囲Ｒ２が設定される。この構成では、操作受付面２１０のいずれかの隅Ｃから拭き取り作業を始め、それ以降、上下方向または左右方向に清掃用の布４００を移動させつつタッチスクリーン２１の汚れを拭き取り、最終的に拭き取り作業を始めた隅Ｃとは対角の位置関係にある隅Ｃまでの拭き取りが完了すると（布４００が第２範囲Ｒ２に入ると）、自動的にパネル清掃モードが終了する。これにより、パネル清掃モードを終了させるための操作を行わなくてもよいので、ユーザーにとっては利便性が良い。また、操作パネル２がパネル清掃モードに移行したまま放置されるのを抑制することができる。
【００７１】
また、本実施形態では、上記のように、パネル制御部２０は、パネル清掃モードを終了するとき、第２範囲Ｒ２で検知した接触点と重なる位置に表示されているソフトウェアボタンＳＢを対象ボタンとして認識する処理を行い、対象ボタンとして認識したソフトウェアボタンＳＢが存在する場合、対象ボタンとして認識したソフトウェアボタンＳＢに対する操作についてはパネル清掃モードを終了してから所定時間が経過するまで無効化する。この構成では、パネル清掃モードが終了したときに、ユーザーの意図に反して操作パネル２が何らかの処理を行うという不都合が生じるのを抑制することができる。
【００７２】
また、本実施形態では、上記のように、パネル制御部２０は、電力供給モードが省電力モードのときに検知した接触点の数が閾値以上でなければパネル清掃モードに移行せずに電力供給モードを通常モードに復帰させる処理（本体制御部１０に復帰信号を送信する処理）を行い、電力供給モードが省電力モードのときに検知した接触点の数が閾値以上であれば電力供給モードを省電力モードに復帰させる処理を行わずにパネル清掃モードに移行する。この構成では、電力供給モードが省電力モードのときにユーザーが拭き取り作業を行っても、電力供給モードが不必要に通常モードに復帰するのを抑制することができる。
【００７３】
なお、本実施形態の構成において、たとえば、操作パネル２がパネル清掃モードに移行したときに、指紋や埃が目立ち易い色（たとえば、グレー）の画面をタッチスクリーン２１に表示してもよい。このような色の画面をタッチスクリーン２１に表示すると、タッチスクリーン２１のどの部分を重点的に清掃すればよいかが分かり易くなる（汚れの付着箇所が分かり易くなる）ので、ユーザーにとっては利便性がよい。
【００７４】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７５】
１  画像形成装置
２  操作パネル（表示入力装置）
２０  パネル制御部（制御部）
２１  タッチスクリーン
３０  電源部
２１０  操作受付面
２１０Ｒ  領域
Ｃ  隅
Ｒ１  第１範囲
Ｒ２  第２範囲
【図１】
2019175305.tif 000003
【図２】
2019175305.tif 000004
【図３】
2019175305.tif 000005
【図４】
2019175305.tif 000006
【図５】
2019175305.tif 000007
【図６】
2019175305.tif 000008
【図７】
2019175305.tif 000009